【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
透明プラスチックフィルム基材上に、屈折率が１．５０以下の低屈折率微粒子とバインダー樹脂を含有する硬化性組成物が塗設されて乾燥厚みが１．０〜４０μｍの硬化層が形成されてなる光学フィルムであって、硬化層の基材とは反対側の表面部分に低屈折率微粒子が偏在していることを特徴とする光学フィルム。
【請求項２】
前記光学フィルムにおいて、硬化層全層中の低屈折率微粒子の平均充填率（Ａ）に対する、硬化層の基材とは反対側の上層側１００ｎｍ膜厚中の低屈折率微粒子の平均充填率（Ｂ）の比率である［（Ｂ／Ａ）×１００］が、１５０％以上であることを特徴とする請求項１に記載の光学フィルム。
【請求項３】
前記硬化層が、透明プラスチックフィルム基材上に硬化性組成物を塗布後、硬化するまでの間に低屈折率微粒子を浮上させた後、硬化することで形成されたことを特徴とする請求項１〜２の何れかに記載の光学フィルム。
【請求項４】
前記低屈折率微粒子が、該粒子表面を化学修飾することにより表面自由エネルギーを低下させていることを特徴とする請求項１〜３のいずれかに記載の光学フィルム。
【請求項５】
前記低屈折率微粒子の表面が、バインダー樹脂のみを硬化させて形成した硬化膜の表面よりも表面自由エネルギーが低くなるように化学表面修飾されていることを特徴とする請求項４に記載の光学フィルム。
【請求項６】
低屈折率微粒子が、下記（ａ）及び（ｂ）のシランカップリング剤によって表面修飾されていることを特徴とする請求項１〜５のいずれかに記載の光学フィルム。
（ａ）表面自由エネルギーを低下させるためのシランカップリング剤
（ｂ）硬化層を形成するバインダーと同種の官能基を有するシランカップリング剤
【請求項７】
前記硬化性組成物が更に溶解性パラメーター（ＳＰ値）が９．５以上の有機溶媒を５質量％以上含有していることを特徴とする請求項１〜６の何れかに記載の光学フィルム。
【請求項８】
前記低屈折率微粒子がシリカ微粒子であることを特徴とする請求項１〜７の何れかに記載の光学フィルム。
【請求項９】
前記低屈折率微粒子が中空シリカ微粒子であることを特徴とする請求項１〜８の何れかに記載の光学フィルム。
【請求項１０】
前記低屈折率微粒子の平均粒径が１２０ｎｍ以下であることを特徴とする請求項１〜９の何れかに記載の光学フィルム。
【請求項１１】
偏光膜と該偏光膜を両面から挟む２枚の保護フィルムとを有する偏光板であって、偏光膜の保護フィルムの少なくとも一方に請求項１〜１０の何れかに記載の光学フィルムを用いたことを特徴とする偏光板。
【請求項１２】
偏光膜と該偏光膜を両面から挟む２枚の保護フィルムとを有する偏光板であって、請求項１〜１０の何れかに記載の光学フィルムを偏光膜の保護フィルムの一方に、光学異方性のある光学補償フィルムを偏光膜の保護フィルムのもう一方に用いたことを特徴とする偏光板。
【請求項１３】
請求項１〜１０の何れかに記載の光学フィルム、または請求項１１〜１２の何れかに記載の偏光板が画像表示面に配置されていることを特徴とする画像表示装置。
【手続補正２】
【補正対象書類名】明細書
【補正対象項目名】００１７
【補正方法】変更
【補正の内容】
【００１７】
すなわち、本発明者は、以下の各構成により、上記目的を達成したものである。
１．透明プラスチックフィルム基材上に、屈折率が１．５０以下の低屈折率微粒子とバインダー樹脂を含有する硬化性組成物が塗設されて乾燥厚みが１．０〜４０μｍの硬化層が形成されてなる光学フィルムであって、硬化層の基材とは反対側の表面部分に低屈折率微粒子が偏在していることを特徴とする光学フィルム。
２．前記光学フィルムにおいて、硬化層全層中の低屈折率微粒子の平均充填率（Ａ）に対する、硬化層の基材とは反対側の上層側１００ｎｍ膜厚中の低屈折率微粒子の平均充填率（Ｂ）の比率である［（Ｂ／Ａ）×１００］が、１５０％以上であることを特徴とする上記１に記載の光学フィルム。
３．前記［（Ｂ／Ａ）×１００］が２００％以上であることを特徴とする上記２に記載の光学フィルム。
４．前記［（Ｂ／Ａ）×１００］が３００％以上であることを特徴とする上記２または３に記載の光学フィルム。
【手続補正３】
【補正対象書類名】明細書
【補正対象項目名】００１８
【補正方法】変更
【補正の内容】
【００１８】
５．前記硬化層が、透明プラスチックフィルム基材上に硬化性組成物を塗布後、硬化するまでの間に低屈折率微粒子を浮上させた後、硬化することで形成されたことを特徴とする上記１〜４の何れかに記載の光学フィルム。
６．前記低屈折率微粒子が、該粒子表面を化学修飾することにより表面自由エネルギーを低下させていることを特徴とする上記１〜５に記載の光学フィルム。
７．前記低屈折率微粒子の表面が、バインダー樹脂のみを硬化させて形成した硬化膜の表面よりも表面自由エネルギーが低くなるように化学表面修飾されていることを特徴とする上記６に記載の光学フィルム。
８．低屈折率微粒子が、下記（ａ）及び（ｂ）のシランカップリング剤によって表面修飾されていることを特徴とする上記１〜７のいずれかに記載の光学フィルム。
（ａ）表面自由エネルギーを低下させるためのシランカップリング剤
（ｂ）硬化層を形成するバインダーと同種の官能基を有するシランカップリング剤
９．前記低屈折率微粒子の表面自由エネルギーが、バインダー樹脂のみを硬化させて形成した硬化膜の表面よりも２Ｄｙｎｅｓ／ｃｍ以上低いことを特徴とする上記７又は８に記載の光学フィルム。
１０．前記低屈折率微粒子の表面自由エネルギーが、バインダー樹脂のみを硬化させて形成した硬化膜の表面よりも５Ｄｙｎｅｓ／ｃｍ以上低いことを特徴とする上記７又は８に記載の光学フィルム。
１１．フルオロアルキル基および／またはシリコーン基を含む有機化合物が低屈折率微粒子の表面に固定されてなることを特徴とする上記１〜１０の何れかに記載の光学フィルム。
【手続補正４】
【補正対象書類名】明細書
【補正対象項目名】００１９
【補正方法】変更
【補正の内容】
【００１９】
１２．低屈折率微粒子の表面が下記一般式（ＩＩＩ）で表されるオルガノシラン化合物で表面修飾されていることを特徴とする上記１１に記載の光学フィルム。
一般式（ＩＩＩ） （Ｒｆ―Ｌ1）ｎ―Ｓｉ（Ｒ11）n-4
上記式中、Ｒｆは炭素数１〜２０の、直鎖、分岐または環状の含フッ素アルキル基、または炭素数６〜１４の含フッ素芳香族基を表す。Ｌ1は炭素数１０以下の２価の連結基を表す。ｎは１〜３の整数を表す。Ｒ11は水酸基または加水分解可能な基を表す。
１３．低屈折率微粒子の表面が下記一般式（ＩＶ）で表されるオルガノシラン化合物で表面修飾されていることを特徴とする上記１１または１２に記載の光学フィルム。
一般式（ＩＶ） ＣnＦ2n+1―（ＣＨ2）m―Ｓｉ（Ｒ）3
上記式中、ｎは１〜１０の整数、ｍは１〜５の整数を表す。Ｒは炭素数１〜５のアルコキシ基またはハロゲン原子を表す。
１４．低屈折率微粒子の表面が下記一般式（Ｖ）で表されるオルガノシラン化合物で表面修飾されていることを特徴とする上記１１〜１３のいずれかに記載の光学フィルム。
一般式（Ｖ）
（ＣＨ３）３Ｓｉ―（Ｏ―Ｓｉ（ＣＨ３）２）ｎ１―（ＣＨ2）ｎ２―Ｓｉ（Ｒ１２）3
上記式中ｎ１は１〜５０の整数を表す。ｎ２は０〜１７の整数を表す。Ｒ１２は炭素数１〜５のアルコキシ基またはハロゲン原子を表す。
【手続補正５】
【補正対象書類名】明細書
【補正対象項目名】００２０
【補正方法】変更
【補正の内容】
【００２０】
１５．前記硬化性組成物が更に溶解性パラメーター（ＳＰ値）が９．５以上の有機溶媒を５質量％以上含有していることを特徴とする上記１〜１４の何れかに記載の光学フィルム。
１６．前記硬化性組成物が更に溶解性パラメーター（ＳＰ値）が９．５以上の有機溶媒を１５質量％以上含有していることを特徴とする上記１５に記載の光学フィルム。
１７．前記硬化性組成物が更に溶解性パラメーター（ＳＰ値）が１０．０以上の有機溶媒を５質量％以上含有していることを特徴とする上記１５または１６の何れかに記載の光学フィルム。
１８．前記硬化性組成物が更に溶解性パラメーター（ＳＰ値）が１０．０以上の有機溶媒を１５質量％以上含有していることを特徴とする上記１７に記載の光学フィルム。
【手続補正６】
【補正対象書類名】明細書
【補正対象項目名】００２１
【補正方法】変更
【補正の内容】
【００２１】
１９．前記低屈折率微粒子の屈折率が１．４６以下であることを特徴とする上記１〜１８のいずれかに記載の光学フィルム。
２０．前記低屈折率微粒子の屈折率が１．４３以下であることを特徴とする上記１〜１８のいずれかに記載の光学フィルム。
２１．前記低屈折率微粒子が二酸化珪素（シリカ）、フッ化マグネシウム、フッ化カルシウム、フッ化バリウムの何れかであることを特徴とする上記１〜２０の何れかに記載の光学フィルム。
２２．前記低屈折率微粒子がシリカ微粒子であることを特徴とする上記１〜２１の何れかに記載の光学フィルム。
２３．前記低屈折率微粒子が中空シリカ微粒子であることを特徴とする上記１〜２２の何れかに記載の光学フィルム。
２４．前記低屈折率微粒子の平均粒径が１２０ｎｍ以下であることを特徴とする上記１〜２３の何れかに記載の光学フィルム。
２５．前記低屈折率微粒子の平均粒径が１００ｎｍ以下であることを特徴とする上記１〜２３の何れかに記載の光学フィルム。
２６．前記低屈折率微粒子の平均粒径が８０ｎｍ以下であることを特徴とする上記１〜２３の何れかに記載の光学フィルム。
【手続補正７】
【補正対象書類名】明細書
【補正対象項目名】００２２
【補正方法】変更
【補正の内容】
【００２２】
２７．前記硬化層表面を＃００００のスチールウールを用い、１．９６Ｎ／ｃｍ２の荷重を掛けながら１０往復擦った時に、擦り跡が目視で見えないことを特徴とする上記１〜２６の何れかに記載の光学フィルム。
２８．前記硬化層の平均膜厚が１．０〜４０μｍであることを特徴とする上記１〜２７の何れかに記載の光学フィルム。
２９．前記硬化層の平均膜厚が２．０〜３０μｍであることを特徴とする上記１〜２７の何れかに記載の光学フィルム。
３０．前記硬化層の平均膜厚が３．０〜２５μｍであることを特徴とする上記１〜２７の何れかに記載の光学フィルム。
【手続補正８】
【補正対象書類名】明細書
【補正対象項目名】００２３
【補正方法】変更
【補正の内容】
【００２３】
３１．偏光膜と該偏光膜を両面から挟む２枚の保護フィルムとを有する偏光板であって、偏光膜の保護フィルムの少なくとも一方に上記１〜３０の何れかに記載の光学フィルムを用いたことを特徴とする偏光板。
３２．偏光膜と該偏光膜を両面から挟む２枚の保護フィルムとを有する偏光板であって、上記１〜３０の何れかに記載の光学フィルムを偏光膜の保護フィルムの一方に、光学異方性のある光学補償フィルムを偏光膜の保護フィルムのもう一方に用いたことを特徴とする偏光板。
３３．上記１〜３０の何れかに記載の光学フィルム、または上記３１〜３２の何れかに記載の偏光板が画像表示面に配置されていることを特徴とする、画像表示装置。
３４．画像表示装置が、ＴＮ、ＳＴＮ、ＩＰＳ、ＶＡ及びＯＣＢの何れかのモードの透過型、反射型又は半透過型の液晶表示装置であることを特徴とする上記３３に記載の画像表示装置。